(57)【要約】【課題】ペレットストーブを設置しながら室内を有効に活用することができるペレットストーブを備えた建物を提供する。【解決手段】ペレットストーブ１１を設置する室内床１９下に木質ペレットを貯蔵する燃料庫１２を設け、該燃料庫１２に前記ペレットストーブ１１の筐体１６を格納可能に構成した。燃料庫２２内の木質ペレットをペレットストーブ２１の燃焼用容器２３へ供給するための搬送路２５ａと、該搬送路２５ａ内で木質ペレットを送給するスクリュー２５ｂと、該スクリュー２５ｂを駆動するモータ２５ｃと、を備えた燃料搬送装置２５を、室内床２９上方に配設される上搬送部２５Ｘと室内床２９下方に配設される下搬送部２５Ｙとの分割構成とした。【選択図】図６
2007291784.tif 000002
【特許請求の範囲】
【請求項１】
木質ペレットを燃焼させて室内暖房を行なうペレットストーブを備える建物であって、
前記ペレットストーブを設置する室内床下に木質ペレットを貯蔵する燃料庫を設け、
該燃料庫に前記ペレットストーブの筐体を格納可能に構成した
ことを特徴とするペレットストーブを備える建物。
【請求項２】
室内床に載置した前記ペレットストーブの筐体を、該室内床又は該室内床下に設けた回動軸を中心として下方に回動させることによって、該筐体を前記燃料庫内へ格納するように構成した
ことを特徴とする請求項１に記載のペレットストーブを備える建物。
【請求項３】
前記燃料庫内の木質ペレットを前記ペレットストーブの燃焼用容器へ供給するための搬送路と、
該搬送路内で木質ペレットを送給するスクリューと、
該スクリューを駆動するモータと、を備えた燃料搬送装置を、
前記燃料庫及び前記ペレットストーブに着脱可能に設けた
ことを特徴とする請求項１又は請求項２に記載のペレットストーブを備える建物。
【請求項４】
前記燃料庫内の木質ペレットを前記ペレットストーブの燃焼用容器へ供給するための搬送路と、
該搬送路内で木質ペレットを送給するスクリューと、
該スクリューを駆動するモータと、を備えた燃料搬送装置を、
室内床上方に配設される上搬送部と室内床下方に配設される下搬送部との分割構成とした
ことを特徴とする請求項１又は請求項２に記載のペレットストーブを備える建物。
【請求項５】
木質ペレットを燃焼させて室内暖房を行なうペレットストーブを備える建物であって、
該ペレットストーブを、内部で該木質ペレットを燃焼させる筐体と、該木質ペレットを貯蔵する燃料庫とから構成し、
前記筐体を該建物の室内に、前記燃料庫を室内床下及び建物外部のうち何れか一方又は両方に配設するとともに、
前記筐体と前記燃料庫とを燃料搬送装置で連通した
ことを特徴とするペレットストーブを備える建物。
【発明の詳細な説明】
【技術分野】
【０００１】
本発明は、間伐材等を粉砕圧縮加工して作った木質加工燃料（木質ペレット）を燃焼させるペレットストーブを備える建物の技術に関する。
【背景技術】
【０００２】
従来より、製材過程で生じるオガ粉や樹皮、端材、間伐材などを粉砕圧縮加工して作った木質加工燃料（木質ペレット）を燃焼させることによって暖をとるペレットストーブが公知となっている。該ペレットストーブは、薪より高燃焼率であって燃焼後の灰を肥料等として再利用可能な木質ペレットを燃料としていることから、環境に優しい点において注目されている。
近年では、自動点火・火力調整・タイマーなどが装備されて、ペレットストーブの利便性が向上しており（例えば、特許文献１参照。）、加熱防止装置・感震自動消化装置等が装備されて安全性も向上してきている。
【特許文献１】特開２００４−３１６９９７号公報
【発明の開示】
【発明が解決しようとする課題】
【０００３】
しかし、従来のペレットストーブは室内への据え置き式であり、一旦室内に設置された後は、その後の使用の有無に関わらず室内に載置されたままとなっていた。つまり、従来のペレットストーブはその移動や格納の利便性が考慮されておらず、特にシーズンオフの期間は使用しないにもかかわらずペレットストーブが室内の一角を占めてしまい、ペレットストーブが邪魔になって室内を有効に活用することができなかった。
そこで、本発明が解決しようとする課題は、ペレットストーブを設置しながら室内を有効に活用することができるペレットストーブを備えた建物を提供することにある。
【課題を解決するための手段】
【０００４】
本発明の解決しようとする課題は以上の如くであり、次にこの課題を解決するための手段を説明する。
【０００５】
即ち、請求項１においては、木質ペレットを燃焼させて室内暖房を行なうペレットストーブを備える建物であって、前記ペレットストーブを設置する室内床下に木質ペレットを貯蔵する燃料庫を設け、該燃料庫に前記ペレットストーブの筐体を格納可能に構成したものである。
【０００６】
請求項２においては、室内床に載置した前記ペレットストーブの筐体を、該室内床又は該室内床下に設けた回動軸を中心として下方に回動させることによって、該筐体を前記燃料庫内へ格納するように構成したものである。
【０００７】
請求項３においては、前記燃料庫内の木質ペレットを前記ペレットストーブの燃焼用容器へ供給するための搬送路と、該搬送路内で木質ペレットを送給するスクリューと、該スクリューを駆動するモータと、を備えた燃料搬送装置を、前記燃料庫及び前記ペレットストーブに着脱可能に設けたものである。
【０００８】
請求項４においては、前記燃料庫内の木質ペレットを前記ペレットストーブの燃焼用容器へ供給するための搬送路と、該搬送路内で木質ペレットを送給するスクリューと、該スクリューを駆動するモータと、を備えた燃料搬送装置を、室内床上方に配設される上搬送部と室内床下方に配設される下搬送部との分割構成としたものである。
【０００９】
請求項５においては、木質ペレットを燃焼させて室内暖房を行なうペレットストーブを備える建物であって、該ペレットストーブを、内部で該木質ペレットを燃焼させる筐体と、該木質ペレットを貯蔵する燃料庫とから構成し、前記筐体を該建物の室内に、前記燃料庫を室内床下及び建物外部のうち何れか一方又は両方に配設するとともに、前記筐体と前記燃料庫とを燃料搬送装置で連通したものである。
【発明の効果】
【００１０】
本発明の効果として、以下に示すような効果を奏する。
【００１１】
請求項１においては、燃料庫が建物の室内床下に配設されることによって、建物の室内に占めるペレットストーブの容積が小さくなり、建物の室内のスペースを有効活用することができる。そして、シーズンオフに筐体を燃料庫内に格納することができ、ペレットストーブが建物の室内のスペースを占領することが無くなり、建物の室内のスペースを有効活用することができる。
【００１２】
請求項２においては、シーズンオフに筐体も燃料庫内に格納することができ、ペレットストーブが建物の室内のスペースを占領することが無くなり、建物の室内のスペースを有効活用することができる。
【００１３】
請求項３においては、筐体から燃料搬送装置を取り外して、該筐体を燃料庫内に格納することが可能になる。
【００１４】
請求項４においては、筐体と共に上搬送部を燃料庫に格納し易くなる。
【００１５】
請求項５においては、燃料庫が建物屋外に配設されることによって、建物の室内に占めるペレットストーブの容積が小さくなり、建物の室内のスペースを有効活用することができる。
【発明を実施するための最良の形態】
【００１６】
次に、発明の実施の形態を説明する。
図１は本発明の第１の実施例に関わるペレットストーブを備える建物の一部を示す平面図、図２は同じく正面図、図３は同じく右側面図、図４は本発明の第２の実施例に関わるペレットストーブを備える建物の一部を示す平面図、図５は同じく右側面図、図６は同じく筐体格納時を示す右側面図、図７は本発明の第３の実施例に関わるペレットストーブを備える建物の一部を示す（ａ）断面平面図と（ｂ）一部断面側面図である。
【実施例１】
【００１７】
まず、図１乃至図３を用いて、第１の実施例として、燃焼用容器１３を内包した筐体１６を建物１０の室内に、燃料庫１２を該建物１０の該室内床１９下に配設する形態について説明する。
本発明の建物１０は、該建物１０の室内にペレットストーブ１１の筐体（ペレットストーブ１１の本体）１６が配設されるものである。そして、該ペレットストーブ１１は、筐体１６と、燃料庫１２と、該筐体１６と燃料庫１２とを連通する燃料搬送装置１５等から構成されている。
前記筐体１６内部には後述する燃焼用容器１３が配設されて、燃料搬送装置１５によって搬送されてくる木質ペレットが該燃焼用容器１３にて燃焼される。
【００１８】
そして、燃料庫１２は、筐体１６が載置される室内床１９の下方に配設若しくは形成されるものであって、内部に木質ペレットが貯蔵される。該室内床１９には、燃料庫１２への燃料供給口１９ｂが形成されており、作業者は、ペレットストーブ１１にて消費する木質ペレットを該燃料供給口１９ｂから該燃料庫１２に供給できるようになっている。
詳しくは、ペレットストーブ１１の筐体１６が載置される室内床１９下に建物１０躯体から独立した容器として燃料庫１２を設置したり、或いは、筐体１６が載置される室内床１９下に木質ペレットを貯蔵するための空間を燃料庫１２として建物１０に一体的に形成したりするのである。
【００１９】
前記燃料搬送装置１５は、その一端が筐体１６の背面下部に連結されるものであって、該燃料搬送装置１５の下端は燃料庫１２の底面近傍まで延設されている。該燃料搬送装置１５は、前記燃料庫１２内の木質ペレットを前記ペレットストーブ１１の燃焼用容器１３へ供給するための搬送路１５ａと、該搬送路１５ａ内で木質ペレットを送給するスクリュー１５ｂと、該スクリュー１５ｂを駆動するモータ１５ｃ等から成るものである。該燃料搬送装置１５は、一体として、筐体１６及び燃料庫１２に対して設置又は除去できるように構成されている。このようにして、木質ペレット燃焼時において、前記燃料庫１２内に投入された木質ペレットがスクリュー１５ｂ等によって筐体１６内の燃焼用容器１３に適宜量ずつ供給される構成となっている。
【００２０】
前述した様に、前記燃焼用容器１３は筐体１６内下部に設けられており、燃焼用容器１３には屋外若しくは建物１０の室内等と該燃焼用容器１３とを連通するパイプ１４の一端が連結されており、該燃焼用容器１３に供給される木質ペレットが、該パイプ１４によって送られてくる空気によって燃焼する構成となっている。詳しくは、筐体１６内に配設された図示しないファンにより、強制的に屋外等の空気がパイプ１４を通って燃焼用容器１３へと送り込まれて、燃焼用容器１３で燃焼が行なわれる構成となっており、該パイプ１４は前記燃料搬送装置１５と同様に筐体１６に着脱自在に連結されている。
ここで、パイプ１４は二重の筒体に構成されており、外筒１４ｂ内を通って燃焼用の空気が筐体１６内へと送り込まれ、内筒１４ａ内を通って燃焼後の空気が屋外等へと排出される構成となっている。
【００２１】
以上の構成により、本実施形態におけるペレットストーブ１１を備える建物１０では、作業者が予め室内床１９下に配設若しくは形成された燃料庫１２に木質ペレットを貯蔵しておく構成となっている。そして、ペレットストーブ１１の使用時において、燃料庫１２に貯蔵された木質ペレットが、前記燃料搬送装置１５を介して筐体１６内に配設された燃焼用容器１３内へと搬送されて燃焼する構成となっている。
【００２２】
そして、本実施例におけるペレットストーブ１１は、室内床１９下に配設若しくは形成される燃料庫１２が筐体１６よりも大きく形成されており、燃料庫１２内に筐体１６が格納（収納）できるように構成されている。
詳しくは、ペレットストーブ１１を載置する箇所の室内床１９をペレットストーブ載置プレート１９ｃとして取り外し可能に構成することにより、シーズンオフ等に該ペレットストーブ載置プレート１９ｃを取り外して燃料庫１２内に筐体１６を格納することができるように構成するのである。
【００２３】
前述したように、燃料搬送装置１５及びパイプ１４は筐体１６に対して着脱自在に連結されている。作業者は、筐体１６を燃料庫１２内に格納する際には、該燃料搬送装置１５及びパイプ１４と筐体１６との連結を解除することができ、逆に筐体１６を燃料庫１２から出して室内床１９上に載置する際には、該燃料搬送装置１５及び該パイプ１４とを再度筐体１６に連結することができる。
該燃料搬送装置１５は、上記のように筐体１６を格納する際において、上下分割可能としてパイプ１４と共に燃料庫１２内に格納する構成としても良いし、パイプ１４と共に筐体１６との連結箇所をキャップ等によって覆う構成としても良く、限定するものではない。
【００２４】
本実施例では、該筐体１６を燃料庫１２内へ格納する方法は限定するものではなく、ペレットストーブ１１を備える建物１０において、該ペレットストーブ１１を配設する部屋の室内床１９の下方に燃料庫１２を設け、該室内床１９の一部を開放可能とし、該燃料庫１２内にペレットストーブ１１が収まる構成であれば良いものとする。
該筐体１６を燃料庫１２へ格納する方法としては、例えば、室内壁面の垂直方向にレールを配設し、該レールに沿ってアクチュエータ等により筐体１６を昇降させる方法や、室内天井に滑車を配設しておき、筐体１６格納時に該滑車にチェーン等を巻回し、該チェーン等によって該筐体１６を吊り下げながら燃料庫１２内へと降下させる方法等が挙げられる。
【００２５】
このように、木質ペレットを燃焼させて室内暖房を行なうペレットストーブ１１を備える建物１０であって、前記ペレットストーブ１１（ペレットストーブの本体若しくは筐体１６）を設置する室内床１９下に木質ペレットを貯蔵する燃料庫１２を設け、該燃料庫１２に前記ペレットストーブ１１の筐体１６を格納可能に構成したので、燃料庫１２が建物１０の室内床１９下に配設されることによって、建物１０の室内に占めるペレットストーブ１１の容積が小さくなり、建物１０の室内のスペースを有効活用することができる。シーズンオフに筐体１６を燃料庫１２内に格納することができ、ペレットストーブ１１が建物１０の室内のスペースを占領することが無くなり、建物１０の室内のスペースを有効活用することができる。
【００２６】
また、前記燃料庫１２内の木質ペレットを前記ペレットストーブ１１の燃焼用容器１３へ供給するための搬送路１５ａと、該搬送路１５ａ内で木質ペレットを送給するスクリュー１５ｂと、該スクリュー１５ｂを駆動するモータ１５ｃと、を備えた燃料搬送装置１５を、前記燃料庫１２及び前記ペレットストーブ１１（ペレットストーブの本体若しくは筐体１６）に着脱可能に設けたので、筐体１６から燃料搬送装置１５を取り外して、該筐体１６を燃料庫１２内に格納することが可能になる。
【実施例２】
【００２７】
次に、図４乃至図６を用いて、第２の実施例として、筐体２６を建物２０の室内に、燃料庫２２を該建物２０の室内床２９下に配設し、該筐体２６を回動することによって燃料庫２２に格納する形態について説明する。詳しくは、該筐体２６の後下方であって床面又床下に設けられた回動軸を回動の中心として、該筐体２６を前下方に回動することによって、筐体２６を室内床２９下の燃料庫２２内に格納するものである。
【００２８】
本発明の建物２０は、該建物２０内部の室内にペレットストーブ２１の筐体２６が配設されるものである。そして、前述同様に、該ペレットストーブ２１は、筐体２６と、燃料庫２２と、該筐体２６と燃料庫２２とを連通する燃料搬送装置２５等から構成されている。
前記筐体２６内部には後述する燃焼用容器２３が固設されており、該燃料搬送装置２５から搬送されてくる木質ペレットが該燃焼用容器２３にて燃焼されるものである。そして、該筐体２６の底面には、筐体支持脚４２が固設されており、筐体２６が室内床２９上に載置された状態において、筐体２６が該筐体支持脚４２と後述する回動アーム２７とによって支持される構成となっている。前記回動アーム２７の基端部には、該回動アーム２７の回動中心となる回動軸が設けられる。
【００２９】
そして、燃料庫２２は、筐体２６が載置される室内床２９の下方に配設若しくは形成されるものであって、内部に木質ペレットが貯蔵される。該室内床２９には、燃料庫２２用の燃料供給口２９ｂが形成されており、作業者は、ペレットストーブ２１にて消費する木質ペレットを該燃料供給口２９ｂから該燃料庫２２に供給する。
【００３０】
前述同様に、前記燃料搬送装置２５は筐体２６の背面（側面）に配設されるものであって、該燃料搬送装置２５の下端は燃料庫２２の底面近傍まで延設されている。該燃料搬送装置２５は、前記燃料庫２２内の木質ペレットを前記ペレットストーブ２１の燃焼用容器２３へ供給するための搬送路２５ａと、該搬送路２５ａ内で木質ペレットを送給するスクリュー２５ｂと、該スクリュー２５ｂを駆動するモータ２５ｃ等から成るものである。そして、該燃料搬送装置２５は、該モータ２５ｃと室内床２９より上方に位置する搬送路２５ａとスクリュー２５ｂとから構成される上搬送部２５Ｘと、室内床２９より下方に位置する搬送路２５ａとスクリュー２５ｂとから構成される下搬送部２５Ｙとに分割可能としている。
【００３１】
詳しくは、上搬送部２５Ｘと下搬送部２５Ｙの二分割構成とされた搬送路２５ａが連結可能に構成されており、上搬送部２５Ｘと下搬送部２５Ｙのスクリュー２５ｂが互いにスプライン嵌合等によって相対回転不能に連結可能に構成されている。そして、該上搬送部２５Ｘは前記筐体２６背面（側面）に固設されており、該下搬送部２５Ｙは燃料庫２２内周の背面に固設されている。
このように構成された燃料搬送装置２５により、前記燃料庫２２内に投入された木質ペレットが筐体２６内の燃焼用容器２３に適宜量ずつ供給される構成となっている。
【００３２】
前記燃焼用容器２３は筐体２６内下部に設けられており、燃焼用容器２３底部には屋外若しくは建物２０の室内等と該燃焼用容器２３とを連通するパイプ２４の一端が連結されており、該燃焼用容器２３に供給される木質ペレットが、該パイプ２４によって送られてくる空気によって燃焼する構成となっている。詳しくは、筐体２６内に配設された図示しないファンにより、屋外等の空気がパイプ２４を通って強制的に燃焼用容器２３へと送り込まれて、該燃焼用容器２３にて木質ペレットの燃焼が行なわれる。
【００３３】
以上の構成により、本実施形態におけるペレットストーブ２１を備える建物２０では、作業者が予め室内床２９下に配設された燃料庫２２に木質ペレットを貯蔵しておけば、ペレットストーブ２１の使用時において、燃料庫２２に貯蔵された木質ペレットが、前記燃料搬送装置２５を介して筐体２６内に配設された燃焼用容器２３内へと搬送されて燃焼する構成となっている。
【００３４】
そして、本実施例におけるペレットストーブ２１は、室内床２９下に配設若しくは形成される燃料庫２２が筐体２６よりも大きく形成されており、燃料庫２２内に筐体２６が内包できるように構成されている。
燃料庫２２内の底面には緩衝部材４１等を載置し、筐体２６が燃料庫２２内に格納した際に該筐体２６に大きな衝撃を与えることがないようすると好ましい。
【００３５】
詳しくは、ペレットストーブ２１の筐体２６を載置する箇所の室内床２９をペレットストーブ載置プレート２９ｃとして取り外し可能とし、燃料庫２２の背面上部にモータ４０を配設して、該モータ４０に回動アーム２７の基端部に設けられた回動軸を連結し、該回動アーム２７の他端を筐体２６の後下部に連結する。該モータ４０は電気モータでも良いし、油圧モータであっても良いものとし、モータ４０を利用せずにハンドル等を利用した手動式であっても良いものとする。
そして、該モータ４０により回動アーム２７を回動させることによって、筐体２６を前下方へ回動させて燃料庫２２に格納する構成としている。格納後には、ペレットストーブ載置プレート２９ｃを元の位置に載置する。
【００３６】
前述したように、パイプ２４は筐体２６に対して着脱自在に連結されており、燃料搬送装置２５は筐体２６背面に固設された上搬送部２５Ｘと燃料庫２２内周に固設された下搬送部２５Ｙとが分割可能に構成されている。
作業者は、筐体２６を燃料庫２２内に格納する際には、該上搬送部２５Ｘと下搬送部２５Ｙとの連結を解除してから、筐体２６を該上搬送部２５Ｘと共に燃料庫２２内に格納することができる。逆に、筐体２６を燃料庫２２から出して室内床２９上に載置する際には、筐体２６を燃料庫２２から持ち上げてから、該上搬送部２５Ｘと下搬送部２５Ｙとを連結固定することができる
但し、該燃料搬送装置２５は、第１の実施例と同様に、筐体２６を格納する際において、上搬送部２５Ｘをパイプ２４と共に燃料庫２２内に格納する構成としても良いし、パイプ２４と共に筐体２６との連結箇所をキャップ等によって覆う構成としても良く、上搬送装部２５Ｘを筐体２６に一体的に固設する構成に限定するものではない。
【００３７】
本実施例においては、前記回動アーム２７及びモータ４０を利用して筐体２６を燃料庫２２内に格納する構成としているが、このような構成に限定するものではなく、前記回動アーム２７及びモータ４０の代わりに筐体２６の下面と燃料庫２２の背面とを、エアシリンダや油圧シリンダ等のアクチュエータを備えて伸縮駆動されるアームで連結しても良いし、これらを併用する構成としても良い。
【００３８】
本実施例に係る燃料庫２２は、その内部に燃焼用容器２３を内包した筐体２６を格納するべく内容積が大きく構成されており、その底面も筐体２６を載置するために水平に形成されている。そのため、燃料搬送装置２５によって燃料庫２２の木質ペレットを残らず筐体２６へ搬送することが困難である。そこで、本実施例においては、図５に示すように、木質ペレットを燃料搬送装置２５下端に集めるための、燃料搬送装置２５下端に向かって傾斜が設けられた燃料床４３を、燃料庫２２内に着脱自在に配設できるように構成している。
このような構成により、筐体２６を室内床２９上に載置してペレットストーブ２１を使用している際において、燃料庫２２内に燃料床４３を配設することによって木質ペレットの搬送をスムーズに行なうことが可能となる。
【００３９】
このように、室内床２９に載置した前記ペレットストーブ２１の筐体２６を、室内床２９又は室内床２９下に設けた回動軸を中心として下方に回動させることによって、該筐体２６を前記燃料庫２２内へ格納するように構成したので、シーズンオフに筐体２６も燃料庫２２内に格納することができ、ペレットストーブ２１が建物２０の室内のスペースを占領することが無くなり、建物２０の室内のスペースを有効活用することができる。
【００４０】
また、前記燃料庫２２内の木質ペレットを前記ペレットストーブ２１の燃焼用容器２３へ供給するための搬送路２５ａと、該搬送路２５ａ内で木質ペレットを送給するスクリュー２５ｂと、該スクリュー２５ｂを駆動するモータ２５ｃと、を備えた燃料搬送装置２５を、室内床２９上方に配設される上搬送部２５Ｘと室内床２９下方に配設される下搬送部２５Ｙとの分割構成としたので、筐体２６と共に上搬送部２５Ｘを燃料庫２２に格納し易くなる。
【実施例３】
【００４１】
次に、図７を用いて、第３の実施例として、燃焼用容器３３を内包した筐体３６を建物３０屋内に、燃料庫３２を建物３０屋外に配設する形態について説明する。
本発明の建物３０は、該建物３０内部の何れかの室内にペレットストーブ３１の筐体３６が配設されるものであり、該ペレットストーブ３１は筐体３６と燃料庫３２と該筐体３６と該燃料庫３２とを連通する燃料搬送装置３５等から構成されている。
前記筐体３６内部には後述する燃焼用容器３３が固設されており、燃料搬送装置３５から搬送されてくる木質ペレットが該燃焼用容器３３にて燃焼されるものである。
【００４２】
前記燃料庫３２は、建物３０の屋外に配設されるものであって、燃料タンクの役割を担うものである。詳しくは、該燃料庫３２には、間伐材を粉砕圧縮加工して作った加工燃料である木質ペレット（例えば、円柱形に加工成形され、直径が４ｍｍ乃至５ｍｍ程度、長さが５ｍｍ乃至６ｍｍ程度に形成される木片。）が貯蔵される。
【００４３】
前記燃料搬送装置３５は、モータや該モータに駆動されるスクリュー等から成るものであって、その一端が前記筐体３６の背面下部に連結され、他端が燃料庫３２内の下部まで延設されて、燃料庫３２内の木質ペレットを筐体３６内の燃焼用容器３３まで搬送することができるものである。そして、木質ペレット燃焼時において、前記燃料庫３２内に投入された木質ペレットが該燃料搬送装置３５によって筐体３６内の燃焼用容器３３に適宜量ずつ供給される構成となっている。
【００４４】
前記燃焼用容器３３は筐体３６内下部に設けられており、該燃焼用容器３３には屋外若しくは建物３０の室内等と該燃焼用容器３３とを連通するパイプ３４の一端が連結されており、該燃焼用容器３３に供給される木質ペレットが該パイプ３４によって送られてくる空気によって燃焼する構成となっている。
詳しくは、本実施例におけるペレットストーブ３１は、筐体３６内に配設された図示しないファンにより、パイプ３４を通じて屋外等の空気を燃焼用容器３３へと強制的に送り込むことによって、燃焼用容器３３にて木質ペレットの燃焼が行なわれる構成となっている。
【００４５】
つまり、本実施形態におけるペレットストーブ３１を備える建物３０では、作業者が予め屋外に配設された燃料庫３２に木質ペレットを貯蔵しておく構成となっている。そして、ペレットストーブ３１の使用時において、燃料庫３２に貯蔵された木質ペレットが、図示しないスクリュー等によって燃料搬送装置３５を介して筐体３６に配設された燃焼用容器３３内へと搬送されて燃焼される構成となっている。
【００４６】
このように、木質ペレットを燃焼させて室内暖房を行なうペレットストーブ１１・２１・３１を備える建物１０・２０・３０であって、該ペレットストーブ１１・２１・３１を、内部で該木質ペレットを燃焼させる筐体１６・２６・３６と、該木質ペレットを貯蔵する燃料庫１２・２２・３２とから構成し、前記筐体１６・２６・３６を該建物１０・２０・３０の室内に、前記燃料庫１２・２２・３２を室内床３９下及び建物３０外部のうち何れか一方又は両方に配設するとともに、前記筐体１６・２６・３６と前記燃料庫１２・２２・３２とを燃料搬送装置１５・２５・３５で連通したので、燃料庫３２が建物３０屋外に配設されることによって、建物３０の室内に占めるペレットストーブ３１の容積が小さくなり、建物３０の室内のスペースを有効活用することができる。
【００４７】
なお、実施例１に記載の燃料庫を筐体を配設した室内床下に設ける構造を併用して、燃料庫を室内床下及び建物屋外の両方に設けることもできる。
【図面の簡単な説明】
【００４８】
【図１】本発明の第１の実施例に関わるペレットストーブを備える建物の一部を示す平面図。
【図２】同じく正面図。
【図３】同じく右側面図。
【図４】本発明の第２の実施例に関わるペレットストーブを備える建物の一部を示す平面図。
【図５】同じく右側面図。
【図６】同じく筐体格納時を示す右側面図。
【図７】本発明の第３の実施例に関わるペレットストーブを備える建物の一部を示す（ａ）断面平面図（ｂ）一部断面側面図。
【符号の説明】
【００４９】
１０・２０・３０    建物
１１・２１・３１    ペレットストーブ
１２・２２・３２    燃料庫
１３・２３・３３    燃焼用容器
１４・２４・３４    パイプ
１６・２６・３６    筐体（ペレットストーブの本体）
【図１】
2007291784.tif 000003
【図２】
2007291784.tif 000004
【図３】
2007291784.tif 000005
【図４】
2007291784.tif 000006
【図５】
2007291784.tif 000007
【図６】
2007291784.tif 000008
【図７】
2007291784.tif 000009